(57)【要約】  不正確に寸法決め又は製造されたブランケットを決定するための装置が提供され、この装置は、第１のモータ（３０）によって独立して駆動される第１のブランケット胴（４４）における第１のブランケット（４２）と、第１のモータ（３０）のトルク値を決定するための第１の制御装置（２０）と、第２のモータ（３２）によって独立して駆動される第２のブランケット胴（５４）における第２のブランケットと、第２のモータ（３２）のトルク値を決定するための第２の制御装置（２２）とを有している。プロセッサ（９０）は、第１及び第２のモータ（２０，２２）のトルク値に関して第１及び第２のブランケット（５２，５２）の間の寸法差の存在を決定する。ブランケットを比較する方法も提供される。
2009538753.tif 000002
【特許請求の範囲】
【請求項１】
不正確に寸法決め又は製造されたブランケットを決定するための装置において、
第１のモータによって独立して駆動される第１のブランケット胴に設けられた第１のブランケットと、
第１のモータのトルク値を決定するための第１の制御装置と、
第２のモータによって独立して駆動される第２の胴と、
第２のモータのトルク値を決定するための第２の制御装置と、
第１及び第２のモータの第１及び第２のトルク値に関して第１のブランケットの寸法を決定するプロセッサとを有していることを特徴とする、不正確に寸法決めされた又は製造されたブランケットを決定するための装置。
【請求項２】
第２のブランケット胴上に第２のブランケットを有する、請求項１記載の装置。
【請求項３】
第１のブランケット又は第２のブランケットが、少なくとも１つの既知の特性を有する基準ブランケットである、請求項２記載の装置。
【請求項４】
基準ブランケットが、既知の直径を有する、請求項２記載の装置。
【請求項５】
基準ブランケットが、既知の構成を有する、請求項２記載の装置。
【請求項６】
基準ブランケットが、既知の厚さを有する、請求項２記載の装置。
【請求項７】
請求項１記載のブランケット寸法不一致を決定するための装置を有するウェブオフセット印刷ユニット。
【請求項８】
円筒状構造に対する第１のブランケット胴における第１のブランケットの寸法を決定する方法において、
第１のブランケットが第２の円筒状構造に接触したときに第１のトルク値を第１のブランケット胴から決定しかつ第２のトルク値を円筒状構造から決定するステップと、
第１のトルク値と第２のトルク値とを比較するステップとを含むことを特徴とする、円筒状構造に対する第１のブランケット胴における第１のブランケットの寸法を決定する方法。
【請求項９】
第１のブランケット又は第２のブランケットが、少なくとも１つの既知の特性を有する基準ブランケットである、請求項８記載の方法。
【請求項１０】
トルク値に関してブランケットの少なくとも１つの特性を比較することを含む、請求項８記載の方法。
【請求項１１】
ブランケットの少なくとも１つの特性が寸法である、請求項１０記載の方法。
【請求項１２】
ブランケットの少なくとも１つの特性がブランケット構成である、請求項１０記載の方法。
【請求項１３】
トルク値を比較することが、トルク値を既知のデータと比較することを含む、請求項８記載の方法。
【発明の詳細な説明】
【技術分野】
【０００１】
発明の背景
本発明は概して印刷機、特にブランケット胴を備えたウェブオフセット印刷機に関する。
【０００２】
米国特許第５９８３７９４号明細書は、走行する紙ウェブの第１の側に印刷するための第１の印刷対を形成した第１の版胴及び第１のブランケット胴を有するウェブ輪転印刷機のインプリンタ印刷ユニットを開示している。さらに、印刷ユニットは、ウェブの第２の側に印刷するための第２の印刷対を形成した第２の版胴及び関連する第２のブランケット胴を有している。さらに、印刷ユニットは、第１及び第２の印刷対を第１及び第２の駆動モータに連結するための歯車装置を有しており、これにより、第１の作動モードにおいて第１の駆動モータが第１の印刷対を駆動しかつ第２の駆動モータが独立して第２の印刷対を駆動するように胴を駆動する。
【０００３】
発明の概要
独立して駆動されるブランケットを使用することにより、寸法及び構成等のブランケットの変数を制御する必要性が増大される。ブランケットの寸法が一致させられていないと、基板に提供される力が印刷品質に悪影響を与える。基板がブランケットの間を通過する時、ブランケットは反対方向に回転する、例えば一方のブランケットは時計回りに回転し、他方のブランケットは逆時計回りに回転する。ニップにおいて、ブランケットは、反対方向に回転しながら、同じ横方向において基板に力を加え、印刷プロセスを通じて基板を下流へ移動させる。
【０００４】
一方のブランケットが異なる直径、構成又は速度を有している場合、ブランケットは基板に異なる力を提供する。不均等な力が基板に提供されると、基板はひずまされ、印刷品質は悪影響を受ける。すなわち、ブランケットが印刷基板に等しい力を加えることが望ましい。ブランケットが異なる直径、構成又は速度を有している場合、ブランケット胴の所望の回転速度を維持するためにモータトルクの変化が必要である。
【０００５】
現在、製造後、ブランケットがオフラインである時に、ブランケット測定が行われる。次いで、ブランケットは、印刷品質を保証するように手作業で一致させられることができる。
【０００６】
本発明の目的は、ブランケットが不正確に寸法決めされているかどうかを決定することである。制御装置は、独立して駆動されるそれぞれのブランケットのための回転速度及び角度位置を調整する。すなわち、制御装置は、ブランケット寸法及び構成の周方向での差を解消するために必要なトルクを提供する。このトルクは監視され、不正確に寸法決めされた又は製造されたブランケットの大きさを決定するために使用されることができる。トルクは、ブランケットが接触する前後に測定されることができる。ブランケット接触後のトルク差の大きな増大は、ブランケット、例えばブランケット寸法、ブランケット構成等の差の結果であることができる。
【０００７】
不正確に寸法決め又は製造されたブランケットを決定するための装置を提供することによって、ＢＢ形印刷機の場合のようなブランケットは監視されることができる。装置は、クリーニング、洗浄の必要性、又はその他の潜在的な問題が生じる前にそれらの問題を知らせる。
【０００８】
本発明は、不正確に寸法決め又は製造されたブランケットを決定するための装置であって、
第１のモータによって独立して駆動される第１のブランケット胴に設けられた第１のブランケットと、
第１のモータのトルク値を決定するための第１の制御装置と、
第２のモータによって独立して駆動される第２の胴と、
第２のモータのトルク値を決定するための第２の制御装置と、
第１及び第２のモータのトルク値に関して第１のブランケットの寸法を決定するプロセッサとを有する装置を提供する。
【０００９】
本発明は、円筒状の構造に対する第１のブランケット胴に設けられた第１のブランケットの寸法を決定する方法をも提供し、この方法は、
第１のブランケット胴と第２のブランケット胴構造とが互いに接触している時に第１のブランケット胴から第１のトルク値を決定しかつ第２の胴構造から第２のトルク値を決定するステップと、
第１のトルク値と第２のトルク値とを比較するステップを有する方法を提供する。
【００１０】
本発明は、既知の特性を備えた基準ブランケットであるブランケットを使用するための方法をも提供する。既知の特性は、例えば、ブランケット構造の直径、厚さ又は形質（trait）であることができる。すなわち、基準ブランケットは、どのブランケットがより大きい又はより小さいか、又はどのブランケットが交換されるべきであるかを決定するために使用されることができる。
【００１１】
択一的に、第１のブランケットは、中実の円筒体に対して試験されることができる。
【００１２】
本発明の好適な実施形態は図面に関して説明される。
【図面の簡単な説明】
【００１３】
【図１】本発明による独立して駆動されるブランケット胴を示す図である。
【図２】基準ブランケットを示す図である。
【発明を実施するための形態】
【００１４】
図１は、独立して駆動される２つのブランケット胴、すなわちそれぞれ上部ブランケット４２及び下部ブランケット５２を備えた上部胴４４及び下部胴５４を示している。上部胴４４はシャフト４６を介して上部モータ３０に連結されている。下部胴５４はシャフト５６を介して下部モータ３２に連結されている。各モータ３０，３２はそれぞれ制御装置２０，２２に接続されている。ブランケット胴４４，５４は独立して駆動され、モータ３０，３２のためのトルク要求は、ブランケット４２，５２が適切に一致させられているならば同じである。胴は、歯車、プーリ又はその他の伝動装置を介してモータに連結されていることもできる。
【００１５】
制御装置２０，２２は、対応するモータ３０，３２のために同じモータ速度を維持する。ブランケット４２，５２が互いに接触すると、ニップ６０においてブランケット４２，５２の間に力が生じる。制御装置２０，２２は、同じ角速度を維持しようとするのに対し、ブランケット４２，５２は、ブランケット同士の接触により同じ表面速度を維持しようとする。ブランケット４２及び５２の直径が異なると、モータ３０，３２におけるトルクが異なる。
【００１６】
ブランケット４２，５２の、オフセット印刷過程から蓄積されたインキ、紙又はその他の堆積物が洗浄された後、ブランケット４２，５２が離反させられた場合、接触する前に、モータ３０，３２のための初期トルクが制御装置２０，２２によって決定される。プロセッサ９０は、制御装置２０，２２によって決定されたトルクデータを記憶する。ブランケット４２，５２が当接させられた場合にトルクデータの第２のセットが決定され、プロセッサ９０に記憶される。
【００１７】
プロセッサ９０は、ブランケット４２，５２が当接させられる前後での制御装置２０及び２２のトルク差を比較し、ブランケット４２，５２が接触した時にトルク差が著しく増大するかどうかを決定する。ブランケット４２，５２が接触した後のトルクの大きな差は、ブランケット直径の大きな差を知らせる。トルク測定の第１のセットと第２のセットとの間のトルクのより大きな差を決定する制御装置２０，２２は、より大きな直径のブランケット４２，５２を備えたブランケット胴４４，５４に接続されている。すなわち、プロセッサ９０は、ブランケット４２，５２が不正確に合致した寸法を有する又は製造されているかどうか、及びどのブランケット４２，５２がより大きい又はより小さいかを検出することができる。
【００１８】
オペレータは、オペレータインタフェースを介して所定のデータのセットを入力する。このセットは、所定の設定値、又は、例えばモータ３０，３２において測定されたトルクに対応する印刷のための許容可能な測定のための設定値を含む。すなわち、プロセッサ９０は、所定の設定値をモータ３０，３２において測定されたトルクと比較する。データが所定の設定値から外れている場合にはプロセッサ９０がオペレータに警告する。適用可能であるならば、プロセッサ９０はオペレータにどのブランケット４２，５２がより大きい又はより小さいかを警告する。
【００１９】
図２は基準ブランケット６２を示している。図１におけるブランケット４２，５２が使用に適しているかどうかを決定するために、直径ｄ及び厚さ及び構成ｔを備えた基準ブランケット６２が使用される。基準ブランケット６２は、既知の、正確な直径及び構成を有している。基準ブランケット６２は、例えば印刷のためではなく基準のためだけに使用することによって維持される。択一的に、ブランケット４２は、例えばモータ３２による中実胴駆動に対して試験されることができ、胴は、単に、ブランケット５２が取り外された胴５４であることもできる。
【００２０】
オペレータは、どのブランケット４２，５２を取り外すかを決定するために、プロセッサ９０によって収集された情報を使用する。オペレータは、より大きなブランケット、例えば上部ブランケット４２を取り外すことを選択する。オペレータは、上部ブランケット４２を基準ブランケット６２と交換する。ブランケット５２，６２が当接させられた時にトルクが決定される。
【００２１】
新たなトルクデータが、オペレータによって入力された所定のデータのセットによって規定されたように、許容できるものであると、既存のブランケット５２は、印刷過程において使用することが許容される。オペレータは、基準ブランケット６２を、印刷過程において使用するに適しいていると知られている新たな又は既存のブランケットと交換することができる。取り外されたブランケット４２は、廃棄されるか、又はより大きいと印を付けられ、択一的な使用のために貯蔵される。
【００２２】
択一的に、トルクデータは、オペレータによって入力された所定のデータのセットから外れていることがある。制御装置２０が、制御装置２２よりも高いトルク読取りを決定すると、基準ブランケット６２はブランケット５２よりも大きい。すなわち、ブランケット５２は、適切な寸法のブランケットと交換されなければならない。ブランケット５２は、廃棄されるか、又はより小さいという印を付けられ、択一的な使用のために貯蔵される。択一的に、制御装置２０が制御装置２２よりも小さいトルク読取りを決定すると、基準ブランケット６２はブランケット５２よりも小さい。すなわち、ブランケット５２は、適切な寸法のブランケットと交換されなければならない。ブランケット５２は、廃棄されるか、又はより大きいという印を付けられ、択一的な使用のために貯蔵され、廃棄物を減じる。
【００２３】
すなわち、プロセッサ９０は、トルク差を監視し、印刷が行われる前にオンライン検出システムとして働き、劣悪な印刷品質の原因となるブランケット直径差を排除するための検査を行う。
【００２４】
本発明の付加的な実施形態は、印刷しながらトルク読取りの履歴を決定及び記録する。プロセッサ９０は、時間の経過とともにトルク増大及び方向変化等の変数を監視することができる。これらの変数は、基準データ及び公差と比較されることができ、いつブランケットが洗浄を必要とするかを決定するか又は潜在的な問題を知らせる。すなわち、ブランケットは、印刷上の問題が生じる前に洗浄されるか又は調査されることができる。
【００２５】
ブランケット構成の差はトルク差をも生じるので、ブランケット構成によるトルク差を監視することも望ましい。さらに、ブランケットの直径及び構成を検証するために品質制御の方法として同じ技術がブランケット製造によって採用されることができる。
【００２６】
前の説明において、発明は特定の典型的な実施形態及び実施例に関して記述されている。しかしながら、請求の範囲に示されたような発明のより広い精神及び範囲から逸脱することなく、前記実施形態及び実施例に対して様々な変更を加えることができることが明らかである。したがって、明細書及び図面は、制限的意味ではなく例示的形式で見なされるべきである。
【符号の説明】
【００２７】
２０，２２  制御装置、  ３０，３２  モータ、  ４２，５２  ブランケット、  ４４，５４  胴、  ６０  ニップ、  ６２  基準ブランケット、  ９０  プロセッサ
【図１】
2009538753.tif 000003
【図２】
2009538753.tif 000004
【国際調査報告】
2009538753.tif 000005